Podtech/llm-jp-corpus-v4-ja_patent huggingface dataset:
(57)【要約】      （修正有）【課題】異なる髪の形に対する固定に適応でき、髪の整理に影響を与えない構造が丈夫で製造が簡単であるヘアピン構造の提供。【解決手段】ヘアピン１は、外側に色々の色や装飾があって、ヘアピンの美感が強調される装飾板２１と当該中間シート２３と一端が互いに軸接され、もう一端が可動的に係合される挟み合いシート２２と装飾版２１と挟み合いシート２２との間に設けられ、射出成形により滑り止めの造形シート２４が覆われ、装飾板２１と互いに一体に結合される中間シート２３とが含有され、当該造型シート２４の滑り止め特性により、異なる髪の形に対する固定に適応でき造型シート２４の内側に抵抗を向上するための突き錐状の突出２４１が設けられる。【選択図】図３
0003118028.tif 000002
【実用新案登録請求の範囲】
【請求項１】
主として、装飾板、中間シート及び挟み合いシートが含有され、当該中間シートと当該挟み合いシートとが、一端が互いに軸接され、もう一端が可動的に係合され、当該中間シートが、当該装飾板に貼り付けられるか鋲着されるヘアピンであって、
当該中間シートに、滑り止めの造型シートが覆われ、当該造型シートの滑り止め特性により、異なる髪の形に対する固定に適用できる
ことを特徴とするヘアピン構造。
【請求項２】
当該造型シートは、内側に突出が設けられることを特徴とする請求項１に記載のヘアピン構造。
【請求項３】
当該突出は、突き錐状であることを特徴とする請求項２に記載のヘアピン構造。
【請求項４】
当該突出は、円弧状であることを特徴とする請求項２に記載のヘアピン構造。
【請求項５】
当該造型シートは、内側にウェーブ状の突出が設けられることを特徴とする請求項１に記載のヘアピン構造。
【請求項６】
当該造型シートは、射出成形により中間シートに覆われることを特徴とする請求項１に記載のヘアピン構造。
【考案の詳細な説明】
【技術分野】
【０００１】
本考案は、ヘアピン構造に関し、特に、中間シートが結合される装飾板と、挟み合いシートによって髪の毛を挟んで固定するヘアピンに関する。
【背景技術】
【０００２】
一般の髪の整理において、主として、髮束やヘアピン、髪輪、釵子或いは他の髪の毛を定型して固定するものが使われ、本考案が、その中のヘアピンと、深く関係を持つため、ヘアピンの従来の技術について説明する。
【０００３】
図１のように、従来技術のヘアピン1は、主として、装飾板11と挟み合いシート12とが含有され、両者は、一端が互に軸接され、もう一端が可動的に係合されることにより、装飾板11と挟み合いシート12とは、対応して髪の毛を挟んで固定し、従来の技術において、次の欠点がある。
【０００４】
当該装飾板11と挟み合いシート12は、内側が、ともに金属平滑面であるため、両者の間において、低い抵抗になって確実に固定することが出来ず、髪の毛が滑りやすいから、髪の形を固定する効果が良くない。
【０００５】
また、挟み合いシートの内側に滑り止めパッドを設ける提案があるが、滑り止めパッドを挟み合いシートに設けることは、ユーザーが、髪の毛を固定する時、まず、挟み合いシートを髪の毛の中に挿入することを考慮しないため、挟み合いシートを挿入する時、滑り止めパッドの抵抗力が髪の毛に作用し、髪の定型に不便である。
【考案の開示】
【考案が解決しようとする課題】
【０００６】
本考案の主な目的は、異なる髪の形に対する固定に適用できるヘアピン構造を提供する。
【０００７】
本考案の他の目的は、髪の整理に影響を与えないヘアピン構造を提供する。
【０００８】
本考案の更に他の目的は、構造が丈夫で製造が簡単であるヘアピン構造を提供する。
【課題を解決するための手段】
【０００９】
本考案は、中間シートに滑り止めの造型シートを覆って、当該造型シートの滑り止め特性により、異なる髪の形に対する固定に提供できるヘアピン構造である。
【００１０】
本考案は、髪の整理に影響を与えないヘアピン構造である。
【００１１】
本考案は、射出成形により滑り止めの造型シートが構成されるため、構造が丈夫で製造が簡単であるヘアピン構造を提供する。
【考案を実施するための最良の形態】
【００１２】
本考案のヘアピン1は、図２と３を参照しながら、主として、外側に色々の色や装飾があって、ヘアピンの美感が強調される装飾板21と、当該中間シート23と、一端が互に軸接され、もう一端が可動的に係合される挟み合いシート22と、装飾板21と挟み合いシート22との間に設けられ、射出成形により滑り止めの造型シート24が覆われ、装飾板21と互いに一体に結合される中間シート23と、が含有され、
当該造型シート24の滑り止め特性により、異なる髪の形に対する固定に適用できる。また、本考案の造型シート24の内側に、抵抗を向上するための突き錐状の突出241が設けられてもいい。
【００１３】
図４のように、本考案の突出241Aは、円弧状や粒状でもいい。
【００１４】
図５のように、本考案の造型シート24の内側に、抵抗を向上するためのウェーブ状の突出241Bが設けられてもいい。
【００１５】
本考案は、次の効果が得られる。
【００１６】
１、本考案は、中間シートに造型シートが嵌設されるため、当該造型シートの滑り止め特性により、異なる髪の形に対する固定に適用する。
【００１７】
２、本考案は、造型シートが中間シートに嵌設されるため、髪の整理に影響を与えない。
【００１８】
３、本考案は、造型シートが、射出成形により中間シートに覆われるため、構造が丈夫である。
【００１９】
４、本考案は、造型シートが、射出成形により中間シートに覆われるため、製作が簡単である。
【００２０】
５、本考案は、造型シートの内側に、更に突出が設けられるため、抵抗が向上される。
【図面の簡単な説明】
【００２１】
【図１】従来技術の立体図
【図２】本考案に係わる第１の実施例の装飾板の分解状態の立体図
【図３】本考案に係わる第１の実施例の立体図
【図４】本考案に係わる造型シートの他の実施例の立体図
【図５】本考案に係わる造型シートの更に他の実施例の立体図
【符号の説明】
【００２２】
1             ヘアピン
11            装飾板
12            挟み合いシート
2             ヘアピン
21            装飾板
22            挟み合いシート
23            中間シート
24            造型シート
241           突出
241A          突出
241B          突出
【図１】
0003118028.tif 000003
【図２】
0003118028.tif 000004
【図３】
0003118028.tif 000005
【図４】
0003118028.tif 000006
【図５】
0003118028.tif 000007
(57)【要約】      （修正有）【課題】金型を落下させず、しかも移動中に金型の揺れを抑えて傷を付けないようにした金型搬送装置を提供する。【解決手段】ビーム５上を走行する移動体２と、金型４をチャック６に吊り下げた状態で上下動させる昇降部材３とからなる金型搬送装置１であり、金型４を取外し可能に装着したチャックの頭部ガイド部１０を上昇させて移動体２に設けた収容穴１２に嵌着させ、この状態で金型４を搬送させる。【選択図】図２
0003118025.tif 000002
【実用新案登録請求の範囲】
【請求項１】
ガイドレール上を走行する移動体と、金型をチャックに吊り下げた状態で上下動させる昇降部材とからなる金型搬送装置において、金型を取外し可能に装着したチャックの頭部ガイド部を上昇させて移動体に設けた収容穴に嵌着させ、この状態で金型を搬送させることを特徴とする金型搬送装置。
【請求項２】
チャックに設けた円錐状の頭部ガイド部が、テーパ状に形成した収容穴に嵌着する請求項１記載の金型搬送装置。
【請求項３】
チャックに設けた円錐状の後部ガイド部が、金型を取外し可能に装着する請求項１または２記載の金型搬送装置。
【考案の詳細な説明】
【技術分野】
【０００１】
本考案は金型搬送装置に係り、詳しくは金型を落下させず、しかも移動中に金型の揺れを抑えて傷を付けないようにした金型搬送装置に関する。
【背景技術】
【０００２】
従来の金型搬送装置では、特許文献１に記載されているように金型をチェインによって搬送することはよく知られている。また、チェインブロックを用いて金型を吊り上げてビーム上を移動させることも行われている。但しチェーンブロックを用いた方法では、移動中に金型が揺れてしまうため、移動中に金型を揺らさないために、チェインブロックの替わりに強固な金型チャックと剛性の高いフレームやスライド機構が必要になっていた。
【特許文献１】特開平８−３２００５２号公報
【考案の開示】
【考案が解決しようとする課題】
【０００３】
従来の安価なチェインブロックを用いた金型搬送装置では、金型の設置が不安定であるために揺らぐことがあり、このため金型表面に傷がつくことがあった。また、これを改善するために、チェインブロックを取り止め、構成部材の剛性を高めた搬送装置とすると、台車上の金型を取りに下降する際に、台車を３ｍｍ以内の芯ズレで位置決めしておかなければ、金型と金型チャックの芯が合わず装着ができないなど作業性も問題も発生していた。
【０００４】
本考案はこのような問題を改善するものであり、金型を落下させず、しかも移動中に金型の揺れを抑えて傷を付けないようにした金型搬送装置を提供することを目的とする。
【課題を解決するための手段】
【０００５】
即ち、本願の請求項１記載の考案では、ガイドレール上を走行する移動体と、金型をチャックに吊り下げた状態で上下動させる昇降部材とからなる金型搬送装置において、金型を取外し可能に装着したチャックの頭部を上昇させて移動体に設けた収容穴に嵌着させ、この状態で金型を搬送させるものであり、上昇させたチャックの頭部ガイド部を移動体に設けた収容穴に嵌着させることで、移動中における金型の揺れを抑えることができ、金型に傷を付けなく、また金型を落下させずに移動することができる。
【０００６】
本願の請求項２記載の考案では、チャックに設けた円錐状の頭部ガイド部が、テーパ状に形成した収容溝に嵌着することで、更に確実にチャックの頭部を収容穴に設置することができる。
【０００７】
本願の請求項３記載の考案では、チャックに設けた円錐状の後部ガイド部が、金型を取外し可能に装着することで、台車に設置された金型の停止位置が最大３０ｍｍまでであれば、芯がずれていても後部ガイド部により金型を自動で装着可能になる。
【考案の効果】
【０００８】
本考案の金型搬送装置では、金型を移動体に近接させ、しかもチャックの頭部ガイド部を移動体に設けた収容穴に嵌着させることで、移動中における金型の揺れを抑えることができて金型に傷を付けなく、また金型を落下させずに移動することができ、更には台車に設置された金型の停止位置が３０ｍｍまでであれば、芯がずれていても後部ガイド部により金型を自動で装着可能になる。
【考案を実施するための最良の形態】
【０００９】
図１は本考案に係る金型搬送装置であって金型をチャックに装着している状態を示し、図２は本考案に係る金型搬送装置であって吊り上げた金型を移動させている状態を示している。本考案の金型搬送装置１はビームのようなガイドレール５上を走行する移動体２と、金型４をチャック６に吊り下げた状態で上下動させる昇降部材３とからなっている。
【００１０】
移動体２はフレーム７に固定した回転体９をガイドレール５上に設置され自動で走行可能になっている。そして、フレーム７には、例えばチェインブロックのような昇降部材３が装着され、チェイン８の先端にチャック６を取り付け、金型４を吊り下げることができる。
【００１１】
上記チャック６は上端部に円錐状の頭部ガイド部１０を、下端部に円錐状の後部ガイド部１１を設けている。円錐状の頭部ガイド部１０は移動体２のフレーム７に設けたテーパ状に形成した収容穴１２に安定して嵌着でき、これにより移動中における金型４の揺れを抑えることができ、金型４に傷を付けなく、また金型４を落下させずに移動することができる。
【００１２】
一方、後部ガイド部１１は金型４に設けた穴１３から貫通させて、チャック６の中央部から係止部１４を突出させて金型４をロックする。この場合、台車１５に設置された金型４の停止位置が最大３０ｍｍまで芯ずれがあっても、後部ガイド部１１により金型４を自動で装着可能になる。
【図面の簡単な説明】
【００１３】
【図１】本考案に係る金型搬送装置であって金型をチャックに装着している状態を示す正面図である。
【図２】本考案に係る金型搬送装置であって吊り上げた金型を移動させている状態を示す正面図である。
【符号の説明】
【００１４】
１  金型搬送装置
２  移動体
３  昇降部材
４  金型
５  ガイドレール
６  チャック
７  フレーム
１０  頭部ガイド部
１１  後部ガイド部
１２  収容穴
１３  穴
１４  係止部
【図１】
0003118025.tif 000003
【図２】
0003118025.tif 000004
(57)【要約】【課題】  本考案は、運搬に際しては嵩張らずに、他の作業用品を載せるスペースが十分取れるようにし、不使用時にも収納場所をできるだけとらないようにすると共に、風の日でも倒れにくい保安用の標識具を提供しようとするものである。【解決手段】  台座と、円錐状の標識部と、台座と標識部間内に立設する伸縮調節自在の支柱とよりなり、台座の内側中心には支柱を立設する取付凹部を設け、取付凹部の周囲には支柱の出入口を設けてあり、標識部は頂部から順に硬質のプラスチック板部、柔軟なメッシュ部との交互構造となっており、最下端のプラスチック板部は台座に固定され、標識部は支柱を外した状態でメッシュ部において折畳まれて最下端のプラスチック板部に収納自在とすると共に、支柱の縮小状態で台座に収納自在とし、又メッシュ部の上、下端縁にはリングを設け、該リングごとプラスチック板部の突起に取付けた保安標識具である【選択図】  図１
0003118024.tif 000002
【実用新案登録請求の範囲】
【請求項１】
台座と、円錐状の標識部と、台座と標識部間内に立設する伸縮調節自在の支柱とよりなり、台座の内側中心には支柱を立設する取付凹部を設け、取付凹部の周囲には支柱の出入口を設けてあり、標識部は頂部から順に硬質のプラスチック板部、柔軟なメッシュ部との交互構造となっており、最下端のプラスチック板部は台座に固定され、標識部は支柱を外した状態でメッシュ部において折畳まれて最下端のプラスチック板部に収納自在とすると共に、支柱の縮小状態で台座に収納自在とした保安標識具。
【請求項２】
メッシュ部の上、下端縁にはリングを設け、該リングごとプラスチック板部の突起に取付けてなる請求項1記載の保安標識具。
【考案の詳細な説明】
【技術分野】
【０００１】
本考案は工事の道路などに置く保安標識具の改良に関する。
【背景技術】
【０００２】
従来この種の保安標識具はプラスチック製の円錐形状のものが殆どであるが、工事現場などへの運搬に際しては大きく嵩張り他の作業用品を載せるスペースがなくなってしまうなどの不便があるばかりか、不使用時における収納に際しても場所をとるなどの欠点があり、又風の強い日などには台座ごと倒伏する恐れがある。
【考案の開示】
【考案が解決しようとする課題】
【０００３】
そこで本案は、運搬に際しては嵩張らずに、他の作業用品を載せるスペースが十分取れるようにし、不使用時にも収納場所をできるだけとらないようにすると共に、風の日でも倒れにくい標識具を提供しようとするものである。
【課題を解決するための手段】
【０００４】
本考案は、台座と、円錐状の標識部と、台座と標識部間内に立設する伸縮調節自在の支柱とよりなり、台座の内側中心には支柱を立設する取付凹部を設け、取付凹部の周囲には支柱の出入口を設けてあり、標識部は頂部から順に硬質のプラスチック板部、柔軟なメッシュ部との交互構造となっており、最下端のプラスチック板部は台座に固定され、標識部は支柱を外した状態でメッシュ部において折畳まれて最下端のプラスチック板部に収納自在とすると共に、支柱の縮小状態で台座に収納自在とし、又メッシュ部の上、下端縁にはリングを設け、該リングごとプラスチック板部の突起に取付けた保安標識具である。
【考案の効果】
【０００５】
本考案の効果として、運搬、収納時にコンパクトになって場所をとらず、しかも道路上に設置しても風の抵抗が少なく風による不用意な倒伏を防止できる。
【実施例】
【０００６】
台座１と、円錐状の標識部２と、台座１と標識部２の頂部間内に立設する伸縮調節自在の支柱３とよりなり、台座１の内側中心には支柱３を立設する取付凹部４を設け、取付凹部４の周囲には支柱の出入口５を設けてあり、標識部２は頂部から順に硬質のプラスチック板部６，６、柔軟なメッシュ部７，７との交互構造となっており、最下端のプラスチック板部６は台座１に固定され、標識部２は支柱１を外した状態でメッシュ部７において折畳まれて最下端のプラスチック板部６に収納自在とすると共に、支柱３の縮小状態で台座１に設けた収納凹部９に収納自在としたものである。台座１にはゴムなどの錘板が嵌められる場合は錘板に出入口を設けておいてもよい。
【０００７】
メッシュ部７とプラスチック板部６との継ぎ構造は接着、溶着、ビス止め、等の手段でよいが、メッシュ部７の上、下端縁にはリング１０を設け、該リング１０ごとプラスチック板部６，６に設けた突起８に引っ掛け取付けるようにするとよい。
【図面の簡単な説明】
【０００８】
【図１】本考案にかかわる保安標識具の正面説明図。
【図２】メッシュ部とプラスチック板部との継ぎ構造の拡大説明図。
【図３】本案標識具の折畳み時の平面説明図。
【図４】折畳み時の側面説明図。
【図５】台座の底面説明図。。
【符号の説明】
【０００９】
１：台座
２：標識部
３：支柱
４：取付凹部
５：出入口
６：プラスチック板部
７：メッシュ部
８：突起
９：収納凹部
１０：リング
【図１】
0003118024.tif 000003
【図２】
0003118024.tif 000004
【図３】
0003118024.tif 000005
【図４】
0003118024.tif 000006
【図５】
0003118024.tif 000007
(57)【要約】      （修正有）【課題】周囲が暗くなっても見やすくなるようにした自照式の目印装置。【解決手段】電池を内蔵させ発光部体１〜４を設け、３−５から３−８水平面指向を３−１から３−４のように全周を発光させ周囲が暗くなっても容易に確認ができるようにした。これにより周囲が暗い場所、もしくはスタジアムのような照明に偏りがあるような場合でも確実に目印の位置を発見できるようにした。【選択図】図３
0003118098.tif 000002
【実用新案登録請求の範囲】
【請求項１】
順次明滅を繰り返すことにより、視認効果を高めるようにした目印装置
【考案の詳細な説明】
【技術分野】
【０００１】本考案はスポーツレジャーなどの時に利用する  目印装置  通称マーカーに関するものである。
【背景技術】
【０００２】今までスポーツ用として存在する目印装置は  周囲が暗くなるなどの、環境によって視認性が悪くなってしまった。
【考案の開示】
【考案が解決しようとする課題】
【０００３】従来は同様に視認性が悪くなるということをデザインにのみによって解決をみようとしているが、現在のままでは、どんなデザイン、どんな塗色をしても、夜間になれば役に立たないのは説明するまでもない。
【課題を解決するための手段】
【０００４】これを図１−５のように電源、図１−１  １−３のように発光体を内蔵して  発光させることにより、一挙に解決しようとするものである
【考案の効果】
【０００５】目印として内部に発光体を持ち、自分が光を放つことにより  周囲が明るい時はもちろん暗くなって来た時でも、はっきりを目印である本体を確認することができる。
垂直面  水平面ともにどこから見ても視認できるように１つ以上の発光体を持ちそれが図３−１から３−４の重なりである図３−９を設ける
【考案を実施するための最良の形態】
【０００６】また単純に光るだけでなく、それを図２−１から２−１６のように明滅させることにより視認性を上げる。
【実施の例】
【０００７】以下実施例を説明するゴルフでのグリーン上での目印（マーカー）として利用できる。またサッカーゲームで降雨などでの中断する場合の目印  野球など野外ゲームではプレイヤーの位置の表示。
【図面の簡単な説明】
【０００８】
【図１】  本考案の横正面図である
【図２】  本考案の視認性を上げる確認図である
【図３】  本考案を使用したときに得られる視認性の特性図（水平面）である
【図４】  本考案を利用したときに得られる視認性の特性図（垂直面）である
【符号の説明】
【０００９】１−１  発光部
１−２  基板本体
１−３  発光部
１−４  考案本体
１−５  内蔵電池
２−１  発光状態の発光体
２−２  未発光の発光体
２−３  未発光の発光体
２−４  未発光の発光体
２−５  未発光の発光体
２−６  発光状態の発光体
２−７  未発光の発光体
２−８  未発光の発光体
２−９  未発光の発光体
２−１０  未発光の発光体
２−１１  未発光の発光体
２−１２  発光状態の発光体
２−１３  未発光の発光体
２−１４  未発光の発光体
２−１５  発光状態の発光体
２−１６  未発光の発光体
３−１  発光体３−５の水平面指向
３−２  発光体３−６の水平面指向
３−３  発光体３−７の水平面指向
３−４  発光体３−４の水平面指向
３−５  発光体１
３−６  発光体２
３−７  発光体３
３−８  発光体４
３−９  指向面の重なり
４−１  発光体４−２の垂直面指向性
４−２  発光体１
４−３  本考案ケースの横側面
４−４  視認できる位置
【図１】
0003118098.tif 000003
【図２】
0003118098.tif 000004
【図３】
0003118098.tif 000005
【図４】
0003118098.tif 000006
【手続補正書】
【提出日】平成17年1月4日(2005.1.4)
【手続補正１】
【補正対象書類名】実用新案登録請求の範囲
【補正対象項目名】全文
【補正方法】変更
【補正の内容】
【実用新案登録請求の範囲】
【請求項１】
占有体積が十立方ミリメートル以上百立方ミリメートル以下の筐体であり、この筐体に本体を目立たせるための発光体、発光体を作動させる集積回路、また電気を供給する電池などの作動に必要な部品の一式がすべて設置されている構造を持つもの。
【手続補正書】
【提出日】平成17年5月6日(2005.5.6)
【手続補正１】
【補正対象書類名】実用新案登録請求の範囲
【補正対象項目名】全文
【補正方法】変更
【補正の内容】
【実用新案登録請求の範囲】
【請求項１】
ゴルフプレイにおいて利用されるマーカー（目印）において、本体を占有体積十立方ミリメートル以上百立方ミリメートル以下に収納し、内部に本体を目立たせるための発光体と発光体を作動させる集積回路、また電気を供給する電池などの作動に必要な部品が一体化している構造を持つ物で発光が順次行われるようにした表示装置と、本体の小型化を同一に具備したことを特徴とする目印装置。
(57)【要約】      （修正有）【課題】産業廃棄物の減少を図り、植物による二酸化炭素の吸収により地球温暖化防止に有効であり、防音、都市緑化にも役立つ。【解決手段】芝生等植え付けた植物、ＡＬＣパネル、植え付け植物に適した土（約５ｍｍ〜１０ｍｍ）及び水切り用目地から構成する。ＡＬＣデザインパネルの場合は水切り目地を作成する必要はないが一般的なＡＬＣパネルの場合は水切り目地を作成する必要がある、また水切り目地は水の流れる方向に設置する。【選択図】図２
0003118096.tif 000002
【実用新案登録請求の範囲】
【請求項１】
軽量気泡コンクリートパネル（通称：ＡＬＣパネル以下ＡＬＣパネルと呼ぶ）に芝生等植物を植え付ける
【請求項２】
上記品物を屋上、屋根、又はベランダ等に設置する
【考案の詳細な説明】
【技術分野】
【０００１】本考案は建築用ＡＬＣパネルの上に土を約５ｍｍ〜１０ｍｍ撤き植物を植え付けた物である
【技術背景】
【０００２】冷暖房や自動車の排気ガスに依る地球温暖化が進んでいる
【考案の開示】
【考案が解決しようとす課題】
【０００３】ＡＬＣパネルを使用した建築工事から出る廃材も利用出来るため産業用廃材の再利用を期待出来、防音・地球温暖化防止に役立てる物である
【課題を解決するための手段】
【０００４】本考案はＡＬＣパネルに植物を植え付け、建造物の屋上やベランダ等に設置する事に依り、植物に二酸化炭素を吸収させる
【考案の効果】
【０００５】  ＡＬＣパネルの廃材を再利用する事により、産業廃棄物の減少を図り、且、植物による二酸化炭素の吸収により地球温暖化防止に有効であり、防音、都市緑化にも役立つ
【考案を実施するための最良の形態】
【０００６】ＡＬＣパネルを３０ｃｍ又は４５ｃｍ、６０ｃｍ角等の大きさに切断し、その上に土を５ｍｍ〜１０ｍｍ撒き植物を植え付ける。ただしその裏側には排水用の溝を切っておくことにより余分な水の排水が可能になる
【実施例】
【０００７】  以下、添付図面に従って説明する。▲１▼は芝生等植え付けた植物  ▲２▼はＡＬＣパネル、当該図面では３７ｍｍデザインパネルを利用しているが厚いＡＬＣパネルも利用する事が出来る▲３▼は植え付け植物に適した土（約５ｍｍ〜１０ｍｍ）▲４▼は水切り用目地（当該図面ではでは３７ｍｍデザインパネルを利用している）ＡＬＣデザインパネルの場合は水切り目地を作成する必要はないが一般的なＡＬＣパネルの場合は水切り目地を作成する必要がある、また水切り目地は水の流れる方向に設置する
【図面の簡単な説明】
【０００８】
【図１】本考案の平面及び２方向の断面図
【図２】本考案のイメージ図
【符号の説明】
【０００９】    ▲１▼芝生等植え付けた植物
▲２▼ＡＬＣパネル
▲３▼土
▲４▼水切り目地
【図１】
0003118096.tif 000003
【図２】
0003118096.tif 000004
【手続補正書】
【提出日】平成16年9月8日(2004.9.8)
【手続補正１】
【補正対象書類名】実用新案登録請求の範囲
【補正対象項目名】全文
【補正方法】変更
【補正の内容】
【実用新案登録請求の範囲】
【請求項１】
軽量気泡コンクリートパネル（通称：ＡＬＣパネル以下ＡＬＣパネルと呼ぶ）を図１・図２・
図３のように加工し芝生等植物を植え付ける
【請求項２】
削除
【手続補正２】
【補正対象書類名】図面
【補正対象項目名】全図
【補正方法】追加
【補正の内容】
【図１】
0003118096.tif 000005
【図２】
0003118096.tif 000006
【図３】
0003118096.tif 000007
【手続補正書】
【提出日】平成17年3月16日(2005.3.16)
【手続補正１】
【補正対象書類名】実用新案登録請求の範囲
【補正対象項目名】全文
【補正方法】変更
【補正の内容】
【実用新案登録請求の範囲】
【請求項１】
屋上緑化用植物を植え付ける事を目的に、軽量気泡コンクリートパネル（通称：ＡＬＣパネル以下ＡＬＣパネルと呼ぶ）にサイコロ状のＡＬＣパネルを取り付け空気層を持たせ、屋上等に設置することにより、コンクリートの高温化を防止するパネル
【手続補正２】
【補正対象書類名】明細書
【補正対象項目名】０００８
【補正方法】変更
【補正の内容】
【０００８】
【図１】ＡＬＣパネルを加工し水抜きパイプをつけた
【手続補正３】
【補正対象書類名】図面
【補正対象項目名】全図
【補正方法】変更
【補正の内容】
【図１】
0003118096.tif 000008
(57)【要約】      （修正有）【課題】展示時等に、模型自体の角度をアクチュエーターにより、変えることができる降雨実験装置の提供。【解決手段】模型の底裏側に可動モーター６、アクチュエーター８を使用し、上下する構造にする事により、この課題を解決する。【選択図】図３
0003118100.tif 000002
【実用新案登録請求の範囲】
【請求項１】
操作台の上部に取り付けたアクチュエーターによりの上下可動をすることによって角度に変化が出来る。
【考案の詳細な説明】
【技術分野】
【０００１】本考案は、模型自体の角度をアクチュエーターにより、山の傾斜を変化させる動作に関する。
【背景技術】
【０００２】従来の模型では、山の傾斜が一定であり、角度の変化が出来なかった。
また、展示時には角度の違う模型が必要になった。
【考案の開示】
【考案が解決しようとする課題】
【０００３】しかし、これでは、単純に雨量による、地すべりしか起こらない。
【考案が解決するための手段】
【０００４】そこで、模型自体の角度を変化させることによって、雨量と地すべりの関係をわかりやすくするため、上下に可動する装置を取り付けた。
【考案の効果】
【０００５】  よって、本考案の上下に可動する装置によって、展示実験する土地の傾斜に合わせることが出来ようになる。
【考案を実施するための最良の形態】
【０００６】本考案に係わる降雨実験装置は、模型部と可動部の分割形式になっており、模型部１には自然が豊かな形状、模型部２には自然が少ない形状とし、同時に噴霧ノズルより同量の水を降らせて模型部２に敷き詰めた砂がどのように崩れてくるのか見比べることが出来る。
【図面の簡単な説明】
【０００７】
【図１】  本考案に係わる降雨実験装置の正面図である。
【図２】  本考案に係わる降雨実験装置の右側面図である。
【図３】  本考案に係わる降雨実験装置の角度変化させた後の右側面図である。
【符号の説明】
【０００８】１  模型部１
２  模型部２
３  操作台
４  操作パネル
５  噴霧ノズル
６  可動モーター
７  キャスター
８  アクチュエーター
【図１】
0003118100.tif 000003
【図２】
0003118100.tif 000004
【図３】
0003118100.tif 000005
【手続補正書】
【提出日】平成17年6月9日(2005.6.9)
【手続補正１】
【補正対象書類名】実用新案登録請求の範囲
【補正対象項目名】全文
【補正方法】変更
【補正の内容】
【実用新案登録請求の範囲】
【請求項１】
操作台、模型部の２部構成になっている。
操作台に取り付けた電動式アクチュエーターを上下可動することによって模型部の角度に変化をつけることが出来る「降雨実験装置」。
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
操作台、模型部の２部構成になっており、操作台に取り付けた電動式アクチュエーターを上下可動することによって模型部の角度に変化をつけることが出来る「降雨実験装置」。
(57)【要約】【課題】誘引灯で誘引した昆虫を経済的かつ効率的に捕虫するものである。            【解決手段】誘引灯や黄色灯等で集めた昆虫を泡で捕獲することである。電源のない個所では太陽発電電池を活用し、昆虫を効率的に捕獲するために，泡の発砲や光の点灯を効果的に実施するために、泡センサーや照度センサーを備えて，効率的に昆虫の捕獲を行うものである。        【選択図】図1          
0003118066.tif 000002
【実用新案登録請求の範囲】
【請求項１】
泡発生機能を備えた上部が開口した器とその上部に光を備えたことを特徴とする捕虫器。
【考案の詳細な説明】
【技術分野】
【０００１】
本考案は、虫を捕獲する容器である。
【背景技術】
【０００２】
従来水に界面活性剤を混入した容器に虫が入水し、捕虫する捕虫器がすでに販売されている。
【０００３】
誘引灯に集まった虫を接着剤で補足する容器が既に販売されている。
【考案の開示】
【考案が解決しようとする課題】
【０００４】
従来の捕虫器は多くの昆虫を補足すると徐々に捕捉数量が減り、新たな捕虫器に取替えしなければならない。
【課題を解決するための手段】
【０００５】
泡発生機能を備えた上部が開口した器とその上部に光を備えたことを特徴とする捕虫器。
【０００６】
この技術的課題を解決するため、請求項1の考察は虫の捕虫効果を減少することなく継続可能であり、また捕虫器の維持管理費用が従来品に比較して安価である。
【考案の効果】
【０００７】
捕虫中は泡を発泡することで、捕獲された虫による汚れが無く、捕虫が効果的に継続する。
【考案を実施するための最良の形態】
【０００８】
泡の発泡と光の点灯の組み合わせで
・泡の出し方、泡の出す時間、連続泡を出すか否か、
・灯の種類、通常は青白い誘引灯を使用するがコナガ等の昆虫は黄色灯を使用、時には青白い誘引灯と黄色灯の併用もある。
・泡の発泡と点灯の関係は捕虫目的とする昆虫により、常時点灯と泡の発泡、泡を発泡せず点灯のみ、泡を発泡し点灯しない場合とがある。
【０００９】
電源はＡＣ  １００Ｖであれば良いし、図１のように太陽電気をバッテリーに充電して活用することも可能。
【実施例】
【００１０】
次に、本考案を具体化した実態形態を、図面に基づいて説明する。図１は捕虫器全体図  図2は泡容器部、図3は充電器ボックス部、図４は、動作フローチャート図である。
【００１１】
図1は捕虫器の全体図で、太陽電池発電４  誘引灯３  泡容器１  充電器ボックス２で構成されている捕虫器。
【００１２】
図2は泡容器１です。泡の表面箇所１１  空気搬送用チューブ１２  空気ポンプ１３  空気吐出口１４で構成される。
【００１３】
図３は充電器ボックス２の繊細図で、同ボックスの中に  充電コントロール２１  充電用バッテリー２２  泡発泡コントロール２３と誘引灯２４が設置されている。
【００１４】
コントローラーの機能ブロック図４で、誘引灯の点滅を光の明と暗により点灯または時間経過による点灯と、泡の有無を泡センサーで感知しコントロールする動作図。
【図面の簡単な説明】
【００１５】
【図１】本発明にかかる捕虫器
【図２】泡容器。
【図３】充電器ボックス。
【図４】動作フローチャート図。
【符号の説明】
【００１６】
１  泡容器
２  充電ボックス
３  誘引灯
４  太陽電池発電
11  泡の表面箇所
12  空気搬送用チューブ
13  空気ポンプ
14  空気吐出口
21  充電コントロール
22  充電用バッテリー
23  泡発泡コントロール
24  誘引灯コントロール
【図１】
0003118066.tif 000003
【図２】
0003118066.tif 000004
【図３】
0003118066.tif 000005
【図４】
0003118066.tif 000006
(57)【要約】      （修正有）【課題】作業者の頭の大きさに対応してバンドを緊締すれば、外被シェルの開口巾を多少共調整でき、従って適正な大きさのヘルメットとなって、作業者の苦痛を及ぼさず、又安全性を損なわないヘルメットを提供する。【解決手段】硬質プラスチィク製の外被シェルと、この外被シェルの内側全周に備えられた発泡ウレタン、軟質合成ゴム等にて形成されたライナーと、更に外被シェルの後部下縁に形成された下開口の切欠部と、この切欠部に橋渡して装備されると共に、該切欠部の開口巾をその緊締によって調整するバンドとで成したことにより外被シェルをその作業者の頭の大きさに応じて多少の融通を持たせる様にしたヘルメット。【選択図】図２
0003118061.tif 000002
【実用新案登録請求の範囲】
【請求項１】
硬質プラスチィク製の外被シェルと、この外被シェルの内側全周に備えられた発泡ウレタン、軟質合成ゴム等にて形成されたライナーと、更に外被シェルの後部下縁に形成された下開口の切欠部と、この切欠部に橋渡して装備されると共に、該切欠部の開口巾をその緊締によって調整するバンドとで成したことを特徴としたヘルメット。
【請求項２】
外被シェルの下開口切欠け部に対面するライナー部分を欠除したことを特徴とした請求項１記載のヘルメット。
【考案の詳細な説明】
【技術分野】
【０００１】
本考案は、主に保安用に使用されるヘルメットに関する。
【背景技術】
【０００２】
一般的にこの種ヘルメットは硬質プラスチック製の外被シェルとその内側全周に備えられる発泡ウレタン、発泡合成ゴム等にて形成されたライナーとで成している。ところが、内側のライナーはその性質上多少の伸縮性を有するが、外被シェルは硬質のため、伸縮性は備えてなく、従って例えば、頭が大きい作業者であると、内側のシェルが多少共追随するが限界がある。特に外被シェルはその追随性は皆無であり、作業者に苦痛を及ぼす。勿論外被シェルを伸縮性の材料にて形成すると、本来の安全性に欠ける事となる
【特許文献１】特開２００３−４７６２３
【考案の開示】
【考案が解決しようとする課題】
【０００３】
一般的にこの種ヘルメットは硬質プラスチック製の外被シェルとその内側全周に備えられる発泡ウレタン、発泡合成ゴム等にて形成されたライナーとで成している。ところが、内側のライナーはその性質上多少の伸縮性を有するが、外被シェルは硬質のため、伸縮性は備えてなく、従って例えば、頭が大きい作業者であると、内側のシェルが多少共追随するが限界がある。特に外被シェルはその追随性は皆無であり、作業者に苦痛を及ぼす。勿論外被シェルを伸縮性の材料にて形成すると、本来の安全性に欠ける事となる。
【課題を解決するための手段】
【０００４】
硬質プラスチィク製の外被シェルと、この外被シェルの内側全周に備えられた発泡ウレタン、軟質合成ゴム等にて形成されたライナーと、更に外被シェルの後部下縁に形成された下開口の切欠部と、この切欠部に橋渡して装備されると共に、該切欠部の開口巾をその緊締によって調整するバンドとで成したことにより外被シェルをその作業者の頭の大きさに応じて多少の融通を持たせる様にしたヘルメット。
【考案の効果】
【０００５】
（１）  請求項1により作業者の頭の大きさに対応してバンドを緊締すれば、外被シェルの開口巾を多少共調整でき、従って適正な大きさのヘルメットとなって、作業者の苦痛を及ぼさず、又安全性を損なわない。
（２）  請求項２により、内側のライナーも外被シェルに伴って伸縮し、シェルの内部で変形して、作業者に違和感を与えることが無い。
【考案を実施するための最良の形態】
【０００６】
以下本考案を実施例に基いて説明すると、図1は作業者の頭部Hにヘルメットを被った状態を示し、ヘルメット本体１は硬質プラスチック製の外被シェル２とその内側全面に備えられた発泡合成ゴム等にて形成されたライナー３とでなされている、更にこの外被シェル２ライナー３には、その後部下線２ａ、３ａに下開口の切欠部４、５を夫々もうけている。更に図２示す如くこの切欠部４、５間にバンド６が橋渡されており、そのバンド６の緊締によってその開口巾を調整する。尚、切欠部４、５をシェル２とライナー３とに形成しているが、少なくとも外被シェル２に形成されれば良い。
【図面の簡単な説明】
【０００７】
【図１】ヘルメット断面側面図
【図２】同上の背面図
【符号の説明】
【０００８】
１・ヘルメット本体
２・外被シェル
３・ライナー
４・切欠部
５・ベルト
【図１】
0003118061.tif 000003
【図２】
0003118061.tif 000004
(57)【要約】【課題】  痴漢行為を防止、予防するスカートカバーを提供することである。  【解決手段】  外表面に凸凹面が形成された保護シートを、腰部に巻回することを特徴とするスカートカバーを着けることにより、痴漢行為の防止、予防を行うものである。【選択図】  図１
0003118069.tif 000002
【実用新案登録請求の範囲】
【請求項１】
外表面に凸凹面が形成された保護シートを、腰部に巻回することを特徴とするスカートカバー。
【請求項２】
外表面の凸凹面は、円球型、円錐型、ピラミッド型等の突起物を、連続して又は一定の間隔をあけ、保護シート全体に設けることにより形成する、請求項１記載のスカートカバー。
【請求項３】
前記腰部に巻回する保護シートの両側における接合部を、ファスナーで締着し、スカートカバーの裾がめくれないようにホックをつけた、請求項１記載のスカートカバー。
【考案の詳細な説明】
【技術分野】
【０００１】
この考案は、痴漢を未然に予防するため、外表面に凸凹面が形成された保護シートを、腰部に巻回することを特徴とするスカートカバーに関するものである。
【背景技術】
【０００２】
従来の防犯具として、ブザー、笛等痴漢に遭遇した場合被害者が自ら積極的に対応しなければならないものであった。
【考案の開示】
【考案が解決しようとする課題】
【０００３】
しかしながら、痴漢に遭遇した女性は「こわい」という感覚から、何も出来ないことが多く、事後的対策では女性が対応できず、結果として、痴漢行為そのものを防止する予防策とはなりえない。また、痴漢をしようとするものは、駅のホームで電車を待っている段階で痴漢をする女性を決め、電車に乗る時にはすばやくその女性の後ろ又は横に待機し、さわる、もむ、スカートをめくられ、中に手を入れられる等、女性の反応をみながら行為を行うことが多い。
【課題を解決するための手段】
【０００４】
上記の課題を解決するため、人の手のひらが触ったとき不快感をもつように、外表面に凸凹面が形成された保護シートを、腰部に巻回することを特徴とするスカートカバーとし、その外表面の凸凹面は、円球型、円錐型、ピラミッド型等の突起物を連続して又は一定の間隔をあけ保護シート全体に設けることにより形成する。また腰部に巻回した保護シートの接合部をファスナーで締着し、スカートカバーの裾がめくれないようにホックをつけた特徴をもつ。
【考案の効果】
【０００５】
外表面に突起物がついている為、一目で痴漢予防のスカートカバーであるということがわかり駅のホームで使用することにより、その時点で、痴漢をしようとするものからさけられ防犯、予防に効果がある。また痴漢予防のスカートカバーをつけていることを知らない者が電車内で痴漢をしても、さわりごこちが突起物がついて不快感のあるものであり、思った感触がえられないし、突起物がついているためもみにくい、更に、スカートカバーの裾をホックで留めているため、スカートの中に手を入れられることもないので、あきらめざるを得ない。そして痴漢にあった女性の方も、突起物がついているスカートカバーを通しての感触であり、これまでのような痴漢の手の感触ではないため、違和感がある程度の感触ですみ、痴漢をおこなっているものは、思った反応も得られない。このスカートカバーは軽量で着脱も容易であり、使用後は、ハンドバック等に収納することができる。
【考案を実施するための最良の形態】
【０００６】
以下、図面に基づいて、この考案の実施の最良の形態及び実施例について説明する。
【実施例】
【０００７】
上述の目的を達成するために、外表面上凸凹面を形成した図１のスカートカバーは満員電車等で使用することが多い為、図３の円錐状の突起物を例えば直径５ｍｍ、高さ２〜３ｍｍ程度とし、素材を弾力性のあるゴムにすることにより、円錐状の尖端にさわっても痛くはないため、電車内で他の人にあたっても危害を及ぼすことはない。
【０００８】
効果をそこなわず、より容易に収納しやすくするために、保護シート全体に設けた、突起物の間隔を、縦列、横列とも、１ｃｍ〜２ｃｍ程度あけ、この突起物がついていないところを折りたたんでいけば、よりコンパクトになり容易に収納しやすくなった。
【０００９】
着脱が容易におこなえるように、接合部３のファスナーを設け、裾がめくれあがるのを防ぐためにホック４を付け、その他ゴムバンド部５で構成された製品である。
【００１０】
なお、外表面に形成された突起物の形、素材は、円錐形、ピラミッド形等尖端で、弾力性のあるものが好ましいが、プラスチック等その他弾力性がないものでも、危険性がないように、尖端の部分に少し丸みをもたせれば、他の人にあたっても危害をおよぼすことはない。
【００１１】
また、突起物のかわりに、ゴム、プラスチック、シリコン、ビニール等の素材からなる、幅２〜３ｍｍ、高さ２〜３ｍｍ程度の立体的な太い線を、保護シート全体に、縦、横、斜めに１ｃｍ程度間隔をあけ、網目状に配置することにより、凸凹面を形成してもよい。
【００１２】
また接合部３のファスナーは、面テープ、又はホック等の接合具であってもよい。
【００１３】
また裾がめくれあがるのを防ぐホック４については、着けているスカートの長さが、スカートカバーより、短ければ使用することが出来るが、着けているスカートの長さが、スカートカバーより、長ければ使用することは出来ない。しかしながら、スカートカバーの長さを膝丈ぐらいにしておけば、着けているスカートの長さは、それ以上長いスカートであり、めくられることは困難である。
【００１４】
この外表面に凸凹面が形成された保護シートを、腰部に巻回することを特徴とするスカートカバーは、着けているスカートの長さが、スカートカバーより、長ければスカートカバーをインナーとして、スカートの裏地として使用することも出来る。その場合、たとえば着けているスカートが、ジーパンの生地のように厚手で硬いものでも、上から触った感じ凸凹の感触があり効果はあるが、見た目にはわからないため、予防の効果は低い。
【００１５】
したがって、この外表面に凸凹面が形成された保護シートを、腰部に巻回することを特徴とするスカートカバーは、駅のホーム等でスカートカバーとして着衣し、その時点から痴漢をよせつけないことがもっとも効果的である。
【図面の簡単な説明】
【００１６】
【図１】本考案のスカートカバーの外表平面図。
【図２】本考案のスカートカバーの使用時の斜視図。
【図３】突起物の拡大図。
【符号の説明】
【００１７】
１：凸凹面を形成したスカートカバー
２：突起物
３：接合部のファスナー
４：ホック
５：ゴムバンド部
【図１】
0003118069.tif 000003
【図２】
0003118069.tif 000004
【図３】
0003118069.tif 000005
(57)【要約】【課題】芯材の厚みを薄くしても充分に湯温低下を抑制できる風呂用蓋を提供することを目的とする。【解決手段】発泡材からなるコア材２の表面層に、蓄熱剤を含浸させた蓄熱シート３と表皮シート４を順次積層して蓋本体５とし、この蓋本体５の端部周囲を合成樹脂あるいはエラストマー製のエッジプロテクター６で包囲した構成からなる。【選択図】      図１
0003118006.tif 000002
【実用新案登録請求の範囲】
【請求項１】
発泡材からなるコア材の表面層に、蓄熱剤を含浸させた蓄熱シートと表皮シートを順次積層して蓋本体とし、該蓋本体の端部周囲を合成樹脂あるいはエラストマー製のエッジプロテクターで包囲したことを特徴とする風呂用蓋。
【請求項２】
蓄熱シートが不織布に蓄熱剤マイクロカプセルを含浸させたものである請求項１記載の風呂用蓋。
【考案の詳細な説明】
【技術分野】
【０００１】
本考案は保温のため浴槽の上面に被せ、湯温低下を充分に抑制できる風呂用蓋に関する。
【背景技術】
【０００２】
従来の浴槽蓋には、巻き込みができるシャッター式のもの、折り畳み式のものが良く知られている。また、最近では芯材の表面に薄板を積層した蓋本体の周囲縁部にループ状に形成した合成樹脂製のエッジプロテクターを脱着可能にした浴槽蓋も提案されている。（特許文献１）
【特許文献１】特開平８−１０３３８９号公報
【考案の開示】
【考案が解決しようとする課題】
【０００３】
しかしながら、従来の浴槽蓋は、芯材として断熱機能を持たせた発泡硬質ウレタンあるいが発泡ポリスチレン製の断熱材が使用されているが、湯温低下を抑制するためには、断熱材を２０〜３５ｍｍ程度に厚くする必要があった。このため、コスト高になっていた。
【０００４】
本考案はこのような問題を改善するものであり、芯材の厚みを薄くしても充分に湯温低下を抑制できる風呂用蓋を提供することを目的とする。
【課題を解決するための手段】
【０００５】
即ち、本願の請求項１記載の考案では、発泡材からなるコア材の表面層に、蓄熱剤を含浸させた蓄熱シートと表皮シートを順次積層して蓋本体とし、該蓋本体の端部周囲を合成樹脂あるいはエラストマー製のエッジプロテクターで包囲した風呂用蓋にあり、蓄熱シートを用いることによりコア材の厚みを薄くすることができ、充分に湯温低下を抑制できる。
【０００６】
本願の請求項２記載の考案では、蓄熱シートが不織布に蓄熱剤マイクロカプセルを含浸させたものであり、蓄熱剤マイクロカプセルを使用することによって蓄熱効果が一段と増す。
【考案の効果】
【０００７】
本考案の風呂用蓋は、蓄熱シートを用いているためにコア材の厚みを薄くすることができ、湯温低下を抑制できる優れた効果を有している。不織布に３０〜４０℃に融解・凝固点を有する蓄熱剤カプセルを含浸させた蓄熱シートを使用すれば、風呂の湯温低下を効率よく抑制できる。
【考案を実施するための最良の形態】
【０００８】
図１は本考案に係る風呂用蓋の断面図である。本考案の風呂用蓋１は発泡材からなるコア材２の表面層に、蓄熱剤を含浸させた蓄熱シート３と表皮シート４を順次積層して蓋本体５とし、該蓋本体５の端部周囲を合成樹脂あるいはエラストマー製のエッジプロテクター６で包囲している。
【０００９】
上記コア材２は、例えば発泡硬質ウレタンや発泡硬質ポリスチレンからなる断熱性に優れたボードであり、厚さが１０〜１５ｍｍのものが使用される。
【００１０】
上記蓄熱シート３は、例えばパルプ、ポリエチレンテレフタレート等の繊維からなる不職布に２０〜６０℃に融解・凝固点を有する蓄熱剤マイクロカプセルを含有させたものであり、厚さ０．５〜３．０ｍｍのものである。
【００１１】
この蓄熱剤マイクロカプセルの形態はスラリー状、粉末状、ペレット状があるが特に限定しない。蓄熱剤としては、ＮａＣＨ３Ｃ００・３Ｈ２０（融点５８℃）、ＬｉＮＯ３・３Ｈ２Ｏ（融点３０℃）の無機塩、ｎ−オクタデカン（融点２８℃）、セチルアルコール（融点５１℃）が使用されるが、これに限定されるものではない。上記蓄熱剤マイクロカプセルは内包された蓄熱剤がカプセル内部で融点以下への冷却により凝固して放熱しを、また融点以上の加熱により融解して蓄熱を繰り返す特長があり、本考案はこの特長を利用している。
尚、本考案で使用する蓄熱剤としては、通常使用する湯の温度範囲が３０〜４５℃であるため、この温度範囲に融点・凝固点を有するものが好ましい。
【００１２】
上記表皮シート４としては、例えば表面にポリエチレンテレフタレートフィルムを積層した高剛性、低線膨張性のＡＢＳシートの表面に木目・大理石等の模様柄のあるポリエチレンテレフタレートフィルム製の表面加飾フィルムを積層一体化したものが使用される。しかし、これに限定されるものではないが、高剛性、低線膨張性を有する樹脂シートであれはよい。
【００１３】
上記エッジプロテクター６は、蓋本体５の端部周囲を包囲するものであり、ポリエチレン、ポリアミド、ポリプロピレン、ポリウレタン、ゴムなどの合成樹脂あるいはエラストマーの型物からなり、脱着可能に蓋本体５に装着されている。
【図面の簡単な説明】
【００１４】
【図１】本考案に係る本考案に係る風呂用蓋の断面図である。
【符号の説明】
【００１５】
１  風呂用蓋
２  コア材
３  蓄熱シート
４  表皮シート
５  蓋本体
６  エッジプロテクター
【図１】
0003118006.tif 000003
【手続補正書】
【提出日】平成17年10月28日(2005.10.28)
【手続補正１】
【補正対象書類名】明細書
【補正対象項目名】０００３
【補正方法】変更
【補正の内容】
【０００３】
最近の浴槽蓋は、芯材として断熱機能を持たせた発泡硬質ウレタン製あるいは発泡ポリスチレン製の断熱材が使用されているが、湯温低下を抑制するためには、断熱材を２０〜３５ｍｍ程度に厚くする必要があった。このため、収納スペースを取ったり、ハンドリングに重かったり、またコスト高にもなっていた。
【手続補正２】
【補正対象書類名】明細書
【補正対象項目名】００１０
【補正方法】変更
【補正の内容】
【００１０】
上記蓄熱シート３は、例えばパルプ、ポリエチレンテレフタレート等の繊維からなる不職布に２０〜６０℃に融解・凝固点を有する蓄熱剤マイクロカプセルを含有させたものである。
【手続補正３】
【補正対象書類名】明細書
【補正対象項目名】００１２
【補正方法】変更
【補正の内容】
【００１２】
上記表皮シート４としては、例えば表面にポリエチレンテレフタレートフィルムを積層した高剛性、低線熱膨張性のＡＢＳシートの表面に木目・大理石等の模様柄のあるポリエチレンテレフタレートフィルム製の表面加飾フィルムを積層一体化したものが使用される。しかし、これに限定されるものではないが、高剛性、低線熱膨張性を有する樹脂シートであれはよい。